(57)【要約】【課題】  従来は、伝送装置の外部のデータベースに各伝送装置の接続先情報を記憶していたので、移設などの変更があった場合、必ずしも最新の正しい接続先情報がデータベースに記憶されているとは限らなかった。【解決手段】  本発明は、監視装置を有する伝送ネットワークを介して互いに接続された複数の伝送装置において、自装置に関する情報を記憶するＰＩ情報記憶部と、前記ＰＩ情報記憶部の情報を前記監視装置に送受信する制御部とを有し、前記ＰＩ情報記憶部に読み出し専用領域と読み書き可能領域とを設けて、前記読み出し専用領域に装置固有情報を格納し、前記読み書き可能領域に接続先情報を格納することを特徴とする。【選択図】図２
2011114635.tif 000002
【特許請求の範囲】
【請求項１】
監視装置を有する伝送ネットワークを介して互いに接続された複数の伝送装置において、
自装置に関する情報を記憶するＰＩ情報記憶部と、
前記ＰＩ情報記憶部の情報を前記監視装置に送受信する制御部と
を有し、
前記ＰＩ情報記憶部に読み出し専用領域と読み書き可能領域とを設けて、前記読み出し専用領域に装置固有情報を格納し、前記読み書き可能領域に接続先情報を格納する
ことを特徴とする伝送装置。
【請求項２】
請求項１に記載の伝送装置において、
前記伝送装置は、複数の回路基盤で構成され、
前記ＰＩ情報記憶部は、前記複数の回路基盤毎に設けられ且つ各回路基盤に一体化された不揮発性のメモリで構成されることを特徴とする伝送装置。
【請求項３】
請求項１または２に記載の伝送装置において、
前記複数の回路基盤の少なくとも１つの回路基盤は下位側伝送装置を接続するためのラインインターフェース基盤で構成され、
前記ラインインターフェース基盤のＰＩ情報記憶部には、前記下位側伝送装置を示す識別子を格納することを特徴とする伝送装置。
【請求項４】
請求項１から３のいずれか一項に記載の伝送装置において、
前記伝送装置に前記回路基盤の脱着を検知する基盤検知部を設け、
前記制御部は、前記基盤検知部が新たな回路基盤の装着を検知した場合に、該回路基盤のＰＩ情報記憶部に記憶された情報を前記監視装置に送信することを特徴とする伝送装置。
【請求項５】
請求項１から４のいずれか一項に記載の伝送装置において、
前記ＰＩ情報記憶部の読み書き可能領域にアクセスするための認証部を更に設け、
前記制御部は、前記認証部が所定の認証コードを認識しない場合に、前記伝送装置のＰＩ情報記憶部に対して情報の書き込みまたは読み取りを行わないことを特徴とする伝送装置。
【請求項６】
請求項５に記載の伝送装置を管理するネットワーク管理システムにおいて、
前記監視装置は、前記伝送装置のＰＩ情報記憶部から情報の読み出しまたは情報の書き込みを行う際に、前記所定の認証コードを入力して前記伝送装置のＰＩ情報記憶部にアクセスすることを特徴とするネットワーク管理システム。
【請求項７】
伝送ネットワークを介して互いに接続された複数の伝送装置を監視装置で管理するネットワーク管理システムにおける装置情報管理方法において、
前記伝送装置は、装置固有情報を格納する読み出し専用領域と接続先情報を格納する読み書き可能な領域とが設けられたＰＩ情報記憶部に記憶された情報を前記監視装置との間で送受信し、
前記監視装置は、前記複数の伝送装置のＰＩ情報記憶部からの情報の読み出しまたは情報の書き込みを行うことを特徴とする装置情報管理方法。
【請求項８】
請求項７に記載の伝送装置を管理する装置情報管理方法において、
前記監視装置は、前記伝送装置のＰＩ情報記憶部から情報の読み出しまたは情報の書き込みを行う際に、前記所定の認証コードを入力して前記伝送装置のＰＩ情報記憶部にアクセスし、
前記伝送装置は、前記監視装置から受け取った前記所定の認証コードを認識しない場合に、前記ＰＩ情報記憶部に対して情報の書き込みまたは読み取りを行わないことを特徴とする装置情報管理方法。
【発明の詳細な説明】
【技術分野】
【０００１】
本発明は、伝送ネットワークに接続された複数の伝送装置を管理するネットワーク管理システムにおいて、各伝送装置の装置情報や接続先情報を管理する技術に関する。
【背景技術】
【０００２】
一般に、複数地点に配置された上位側の局（伝送装置）は光ファイバーなどの専用線で接続され、伝送ネットワークを構成している。そして、各伝送装置の下位側の回線にはクライアント側の局（伝送装置）が接続される。従来、このような伝送ネットワークを構成する伝送装置の下位側の回線に接続されるクライアント側の局を示す接続先情報（局舎ＩＤ）は、伝送装置の外部に設けた監視用サーバーのデータベースで管理していた（例えば特許文献１参照）。
【先行技術文献】
【特許文献】
【０００３】
【特許文献１】特開平０４−２１３９３８号公報
【発明の概要】
【発明が解決しようとする課題】
【０００４】
このように、伝送装置の外部の監視用サーバーのデータベースに各伝送装置の接続先情報を記憶していたので、各伝送装置の回線基盤の移設や回線に接続される局の移設などの変更があった場合にはその都度、保守管理者がデータベースの接続先情報を更新しなければならなかった。このため、必ずしも最新の正しい接続先情報がデータベースに記憶されているとは限らず、回線の接続先情報の変更を行う際に古い情報が残っていた場合や誤入力した場合は、回線の接続先情報が重複したり実在しなかったりするという問題があった。特に伝送装置のクライアント側の装置で回線断などが発生すると、実際の回線の接続先情報を確認するのに時間が掛かり、迅速な対応ができないという問題が生じる。
【０００５】
上記課題に鑑み、本発明の目的は、伝送ネットワークに接続された複数の伝送装置のクライアント側の接続先情報を伝送装置の外部に保持するのではなく、伝送装置内部の各回線の回路基盤に設けられたＰＩ情報記憶部に既存の固有情報と一緒に読み書きできるようにし、常に最新の接続先情報を適切に管理することができる伝送装置およびネットワーク管理システム並びに装置情報管理方法を提供することである。
【０００６】
また、伝送装置を構成する複数の回路基盤のそれぞれにＰＩ情報記憶部を設けることにより、それぞれの回路基盤の機能に合致したユーザー情報の読み書きを行うことができ、回路基盤の機能に応じた管理を行うことができる伝送装置およびネットワーク管理システム並びに装置情報管理方法を提供することである。
【課題を解決するための手段】
【０００７】
請求項１に係る発明は、監視装置を有する伝送ネットワークを介して互いに接続された複数の伝送装置において、自装置に関する情報を記憶するＰＩ情報記憶部と、前記ＰＩ情報記憶部の情報を前記監視装置に送受信する制御部とを有し、前記ＰＩ情報記憶部に読み出し専用領域と読み書き可能領域とを設けて、前記読み出し専用領域に装置固有情報を格納し、前記読み書き可能領域に接続先情報を格納することを特徴とする。
【０００８】
請求項２に係る発明は、請求項１に記載の伝送装置において、前記伝送装置は、複数の回路基盤で構成され、前記ＰＩ情報記憶部は、前記複数の回路基盤毎に設けられ且つ各回路基盤に一体化された不揮発性のメモリで構成されることを特徴とする。
【０００９】
請求項３に係る発明は、請求項１または２に記載の伝送装置において、前記複数の回路基盤の少なくとも１つの回路基盤は下位側伝送装置を接続するためのラインインターフェース基盤で構成され、前記ラインインターフェース基盤のＰＩ情報記憶部には、前記下位側伝送装置を示す識別子を格納することを特徴とする。
【００１０】
請求項４に係る発明は、請求項１から３のいずれか一項に記載の伝送装置において、前記伝送装置に前記回路基盤の脱着を検知する基盤検知部を設け、前記制御部は、前記基盤検知部が新たな回路基盤の装着を検知した場合に、該回路基盤のＰＩ情報記憶部に記憶された情報を前記監視装置に送信することを特徴とする。
【００１１】
請求項５に係る発明は、請求項１から４のいずれか一項に記載の伝送装置において、前記ＰＩ情報記憶部の読み書き可能領域にアクセスするための認証部を更に設け、前記制御部は、前記認証部が所定の認証コードを認識しない場合に、前記伝送装置のＰＩ情報記憶部に対して情報の書き込みまたは読み取りを行わないことを特徴とする。
【００１２】
請求項６に係る発明は、請求項５に記載の伝送装置を管理するネットワーク管理システムにおいて、前記監視装置は、前記伝送装置のＰＩ情報記憶部から情報の読み出しまたは情報の書き込みを行う際に、前記所定の認証コードを入力して前記伝送装置のＰＩ情報記憶部にアクセスすることを特徴とする。
【００１３】
請求項７に係る発明は、伝送ネットワークを介して互いに接続された複数の伝送装置を監視装置で管理するネットワーク管理システムにおける装置情報管理方法において、前記伝送装置は、装置固有情報を格納する読み出し専用領域と接続先情報を格納する読み書き可能な領域とが設けられたＰＩ情報記憶部に記憶された情報を前記監視装置との間で送受信し、前記監視装置は、前記複数の伝送装置のＰＩ情報記憶部からの情報の読み出しまたは情報の書き込みを行うことを特徴とする。
【００１４】
請求項８に係る発明は、請求項７に記載の伝送装置を管理する装置情報管理方法において、前記監視装置は、前記伝送装置のＰＩ情報記憶部から情報の読み出しまたは情報の書き込みを行う際に、前記所定の認証コードを入力して前記伝送装置のＰＩ情報記憶部にアクセスし、前記伝送装置は、前記監視装置から受け取った前記所定の認証コードを認識しない場合に、前記ＰＩ情報記憶部に対して情報の書き込みまたは読み取りを行わないことを特徴とする。
【発明の効果】
【００１５】
本発明に係る伝送装置およびネットワーク管理システム並びに装置情報管理方法は、クライアント側の接続先情報を伝送装置の外部に保持するのではなく伝送装置自体に装置の固有情報と共に一括して保持するので、古い情報と間違えることなく常に最新の情報を得ることができる。
【００１６】
特に、装置の固有情報とは別にＰＩ情報記憶部の読み書き可能領域に接続先情報などのユーザー情報を自由に書き込むことができるので、伝送装置や回路基盤毎の適切な管理が可能になる。
【００１７】
また、回路基盤の装着を検出することにより、回路基盤の移設や新設があったことを直ぐに監視装置側に知らせることができ、常に最新の情報に更新することができる。
【００１８】
さらに、監視装置が伝送装置のＰＩ情報記憶部から情報の読み出しまたは情報の書き込みを行う際に、所定の認証コードを入力してアクセスすることにより、意図的或いは誤って書き換えられることを防止できる。
【図面の簡単な説明】
【００１９】
【図１】本実施形態に係るネットワーク管理システム１００の構成例を示すブロック図である。
【図２】本実施形態に係る伝送装置１０１の構成例を示すブロック図である。
【図３】ＰＩ情報記憶部の構成例を示す説明図である。
【図４】ＣＰＵ部２０２の処理を示すフローチャートである。
【発明を実施するための形態】
【００２０】
以下、本発明に係る「伝送装置およびネットワーク管理システム並びに装置情報管理方法」の実施形態について図面を用いて詳しく説明する。
【００２１】
［ネットワーク管理システム１００の構成例］
先ず、本実施形態に係るネットワーク管理システム１００の構成例について図１を用いて説明する。図１において、ネットワーク管理システム１００は、Ａ局の伝送装置１０１と、Ｂ局の伝送装置１０２と、Ｃ局の伝送装置１０３と、Ｄ局の伝送装置１０４と、伝送ネットワーク１０５と、監視用ネットワーク１０６と、監視用サーバー１０７と、遠隔監視制御端末１０８とで構成される。尚、現地で保守管理を行うために、図１の伝送装置１０１に示したように保守端末１０９を接続する場合もある。
【００２２】
ここで、本実施形態で説明する伝送ネットワーク１０５は、ある目的を持ったプライベートなネットワークを指し、不特定多数のユーザーがアクセスするインターネットとは少し異なる。伝送ネットワーク１０５は、東京、名古屋、大阪など日本全国に企業向けにあるサービスを提供する場合に、例えば各地の伝送装置間（Ａ局，Ｂ局，Ｃ局およびＤ局などの間）を光ファイバーなどの専用の線路で接続するネットワークである。
【００２３】
そして、例えばＡ社が伝送ネットワーク１０５を構築した場合、Ｂ社がＡ社のネットワークを自由に用いることはできず、Ｂ社がＡ社のネットワークを利用したい場合は例えば料金を支払って（波長貸しと呼ぶ）Ａ社のネットワークを利用する。
【００２４】
また、各伝送装置には下位の伝送装置が接続され、別のネットワークやユーザーに接続される。例えば図１の例では、Ａ局の伝送装置１０１の下位側に伝送装置１５１がＥ局として接続され、その下に下位ネットワークが構築されている。
【００２５】
本実施形態に係るネットワーク管理システム１００は、上位側の伝送ネットワーク１０５に接続される複数の伝送装置（Ａ局，Ｂ局，Ｃ局およびＤ局）を管理するシステムの一例である。
【００２６】
さらに図１では、Ａ局の伝送装置１０１およびＢ局の伝送装置１０２は、直接、監視用ネットワーク１０６に接続され、監視用サーバー１０７およびオペレータが操作する遠隔監視制御端末１０８が接続されている。尚、遠隔監視制御端末１０８は、監視用サーバーの入出力インターフェースを提供するだけなので、1つである必要はなく、複数の場所に複数台設置されていても構わない。
【００２７】
また、各局間は例えば５０ｋｍから１００ｋｍ程度の離れた場所に設置されており、監視用ネットワーク１０６も必ずしも全ての局に接続されているわけではない。このため、監視用ネットワーク１０６に直接接続されていない局の伝送装置を監視する場合は、監視用ネットワーク１０６に直接接続された局の伝送装置を経由して接続する。例えば図１の場合、Ｃ局の伝送装置１０３とＤ局の伝送装置１０４は、監視用ネットワーク１０６に直接接続されていないが、Ａ局の伝送装置１０１またはＢ局の伝送装置１０２を経由して監視用ネットワーク１０６および監視用サーバー１０７に接続することができる。
【００２８】
ここで、監視用ネットワークに直接接続される伝送装置（Ａ局およびＢ局）はＧＮＥ（Ｇａｔｅｗａｙ  ＮＥ（Ｎｅｔｗｏｒｋ  Ｅｌｅｍｅｎｔ））と呼ばれ、監視用ネットワークに直接接続されない伝送装置（Ｃ局およびＤ局）はＲＮＥ（Ｒｅｍｏｔｅ  ＮＥ（Ｎｅｔｗｏｒｋ  Ｅｌｅｍｅｎｔ））と呼ばれる。そして、ＧＮＥが監視用サーバー１０７から命令を受けると、自己の配下の伝送装置（例えばＣ局やＤ局）の情報を集める。つまり、ＧＮＵは監視用サーバー１０７の代理機能を果たす。このように、Ａ局が伝送ネットワーク１０５を介してＣ局またはＤ局と監視用データを送受信することをインバンド監視と呼び、ユーザーデータを送受信する伝送ネットワーク１０５の帯域の中に監視用データも流すようになっている。このようなインバンド監視技術を用いることによって、Ｃ局やＤ局の情報を監視用サーバー１０７の代理機能を果たすＡ局やＢ局を経由して監視用サーバー１０７に集めることができる。また、Ａ局経由でＣ局やＤ局の情報を監視用サーバー１０７に送信できない場合にはＢ局経由で送信できるように冗長性を持たせてある。尚、インバンド監視に対して、監視用ネットワーク１０６に直接接続される各伝送装置は、監視用サーバー１０７から専用の監視用ネットワーク１０６を介してアウトバンド監視されている。
【００２９】
［伝送装置１０１の構成例］
次に、各伝送装置の構成について説明する。尚、図１において、伝送装置１０１と、伝送装置１０２と、伝送装置１０３と、伝送装置１０４は同じ構成の伝送装置なのでＡ局の伝送装置１０１について説明する。伝送装置１０１は、下位側の装置に接続されるＬＩＵ部（ラインインターフェース部）、冷却ファンを制御するＦＡＮ部、伝送装置全体の動作を制御するＣＰＵ部などの回路基盤を有している。
【００３０】
図２は、伝送装置１０１の構成例を示すブロック図である。図２において、Ａ局の伝送装置１０１は、主信号系ブロック２００と、監視制御部２０１と、ＦＡＮ部２０３と、ＣＰＵ部２０２と、ＳＨＥＬＦ部２０４と、アラーム収集部２０５とで構成される。
【００３１】
さらに、主信号系ブロック２００は、下位側の装置を接続するための低速部２０６と、低速部２０６で送受信されるデータを統合して上位側の装置に接続するための高速部２０７とで構成され、高速部２０７は低速部２０６の複数の低速回線を束ねて上位側に送信し、逆に上位側の高速回線で受信するデータは宛先別に低速部２０６の各低速回線に送信される。
【００３２】
監視制御部２０１は、監視用ネットワーク１０６を介して接続される監視用サーバー１０７との間で監視用データを送受信する。また、監視用ネットワーク１０６に直接接続されない伝送装置に対する代理サーバーの機能を果たし、これらの伝送装置との間で高速部２０７を介してインバンドで監視用データを送受信し、監視用サーバーに送受信する。
【００３３】
ＣＰＵ部２０２は、内部に予め記憶されたプログラムに従って動作し、監視制御部２０１で送受信される監視用データを処理し、監視用データの指令に応じて各回路基盤のＰＩ情報記憶部の情報を読み出して監視用サーバー１０７に送信したり、遠隔監視制御端末１０８および監視用サーバー１０７から送られてくる情報を各回路基盤のＰＩ情報記憶部に書き込む。
【００３４】
ＦＡＮ部２０３は、伝送装置１０１の冷却用のＦＡＮが搭載された基盤である。このＦＡＮ部２０３にもＰＩ情報記憶部２０３ａがあり、製造番号や版数が格納されている。ＰＩ情報記憶部２０３ａは、他のＰＩ情報記憶部と同様にユーザーが自由に情報を書き込めるようになっている。特にＦＡＮ部２０３は、例えばＦＡＮ部２０３の起動履歴（電源投入時の日時など）をＰＩ情報記憶部２０３ａに格納しておくことにより、ファンモーターの寿命に対してどの程度使用されているかを監視用サーバー１０７および遠隔監視制御端末１０８で知ることができる。これにより、ファンモーターが故障する前に交換することができる。
【００３５】
ＳＨＥＬＦ部２０４は、各回路基盤を相互に接続するためのバックワイヤードボード（ＢＷＢ）を提供し、各回路基盤に電源を供給したり、各回路基盤間のバスを構成して信号の入出力を行う。
【００３６】
アラーム収集部２０５は、伝送装置１０１内のアラームを集約して、アラームを検出した場合はＣＰＵ部２０２および監視制御部２０１を経由して監視用ネットワーク１０６を介して監視用サーバー１０７および遠隔監視制御端末１０８に送信する。特に、本実施形態に係る伝送装置１０１では、監視用サーバー１０７側から指定された回路基盤のＰＩ情報を読み書きできない場合にも、ＣＰＵ部２０２は、ＰＩ情報の読み書き不能の異常警報をアラーム収集部２０５に出力する。そして、アラーム収集部２０５は伝送装置１０１内のアラームを集約して、ＣＰＵ部２０２および監視制御部２０１を介して監視用サーバー１０７側に送信する。
【００３７】
低速部２０６は、複数のＬＩＵ部（ラインインターフェース部）２５１を有し、下位側の装置が接続される。ここで、複数のＬＩＵ部はｎ個あるので、特定のＬＩＵ部２５１を指す場合はＬＩＵ部２５１（１）やＬＩＵ部２５１（ｎ）のように記述するが、ＬＩＵ部に共通の説明は単にＬＩＵ部２５１と記述するものとする。ＰＩ情報記憶部２５１ａについても同様である。
【００３８】
高速部２０７は、伝送ネットワーク１０５に接続され、Ｂ局，Ｃ局およびＤ局と光ファイバーなどで接続される。
【００３９】
ここで、監視制御部２０１と、ＣＰＵ部２０２と、ＦＡＮ部２０３と、ＳＨＥＬＦ部２０４と、アラーム収集部２０５、低速部２０６の各ＬＩＵ部２５１、高速部２０７の各回路基盤にはそれぞれＰＩ情報記憶部（２０１ａ，２０２ａ，２０３ａ，２０４ａ，２０５ａ，２５１ａ，２０７ａ）が設けられている。
【００４０】
［ＰＩ情報記憶部について］
本実施形態に係る伝送装置１０１を構成する各回路基盤にはそれぞれの回路基盤に関する情報を格納するＰＩ情報記憶部（２０１ａ，２０２ａ，２０３ａ，２０４ａ，２０５ａ，２５１ａ，２０７ａ）が設けられている。尚、以降の説明において特定の回路基盤のＰＩ情報記憶部を示す場合は２０１ａなどの符号を付して記述するが、全てのＰＩ情報記憶部に共通の説明を行う場合は符号を付さずにＰＩ情報記憶部と記述するものとする。ここで、ＰＩ情報とは、ＰＩ（Ｐｈｙｓｉｃａｌ  Ｉｎｖｅｎｔｏｒｙ）情報（固体情報）を意味する。例えばＰＩ情報は、製造番号やどのような機能を持っているかを示す版数管理（例えば１Ａ，２Ａ，０１，０２など）などの情報である。
【００４１】
各回路基盤のＰＩ情報記憶部はメモリで構成され、例えば図２の場合は必ず伝送装置１０１のＣＰＵ部２０２で読み書きされる。そして、各メモリのアドレスには、図３に示すように、書き込みができない読み出し専用領域（Ｒｅａｄ  ｏｎｌｙ領域）と、読み書きができるユーザー領域（Ｒｅａｄ／Ｗｒｉｔｅ領域）とがある。さらにＲｅａｄ  ｏｎｌｙ領域は、共通領域（Ｃｏｍｍｏｎ  ＲＯ  Ａｒｅａ）と基盤固有領域（Ｓｐｅｃｉｆｉｃ  ＲＯ  Ａｒｅａ）とが設けられている。図３（ａ）はＬＩＵ部２５１，ＳＨＥＬＦ部２０４および監視制御部２０１などの例を示し、約８ｋのアドレス空間の内、アドレス０からアドレス２５５までが読み出し専用の共通領域、アドレス２５６からアドレス４０９５までが読み出し専用の基盤固有領域（Ｃａｒｄ  Ｓｐｅｃｉｆｉｃ：Ｃａｒｄ専用領域）、アドレス４０９６からアドレス８１９１までが読み書き可能なＣａｒｄ専用のユーザー領域３０１ａとなっている。図３（ｂ）はＦＡＮ部２０３の例を示し、約１ｋのアドレス空間の内、アドレス０からアドレス２５５までが読み出し専用の共通領域、アドレス２５６からアドレス５１１までが読み出し専用の基盤固有領域（ＦＡＮ  Ｓｐｅｃｉｆｉｃ：ＦＡＮ専用領域）、アドレス５１２からアドレス１０２３までが読み書き可能なＦＡＮ専用のユーザー領域３０１ｂとなっている。
【００４２】
共通領域には、様々な種類の基盤に共通の情報が格納される。例えば、ユニット識別子（Ｕｎｉｔ  ｃｏｄｅ）など何の基盤であるかを判別するための情報が格納され、例えば共通領域の所定アドレスの情報を読み出すだけで当該基盤がＬＩＵ部であるのかＦＡＮ部であるのかを確認できるようになっている。これにより、例えば異なる機能の基盤が誤って実装される誤実装の検出や防止を行うことができる。
【００４３】
基盤固有領域には、カード固有の情報として、製造番号，版数，製造年月日などの情報が格納される。尚、ＬＩＵ部，ＦＡＮ部，ＳＨＥＬＦ部など基盤によって記憶内容は異なり、ＬＩＵ部の場合はＭＡＣアドレス情報やファームウェア情報なども格納される。
【００４４】
ユーザー領域（Ｒｅａｄ／Ｗｒｉｔｅ領域）は、本実施形態の特徴となる部分で、ユーザーが必要な情報を自由に読み書きすることができる。例えば先に説明したＬＩＵ部の接続先情報などもユーザー領域に格納する。
【００４５】
従来、ＰＩ情報記憶部は製造番号などの固有情報が読み出し専用領域（Ｒｅａｄ  ｏｎｌｙ領域）に格納されているだけで、有効に活用されていなかった。
【００４６】
これに対して本実施形態では、ＰＩ情報記憶部にユーザーが任意の情報を自由に読み書き可能な領域を設けて、例えばＬＩＵ部２５１（１）のＰＩ情報記憶部２５１ａ（１）やＬＩＵ部２５１（ｎ）のＰＩ情報記憶部２５１ａ（ｎ）の場合は下位側の回線の接続先情報を記憶する。或いは、ＦＡＮ部２０３の場合は、使用開始日や稼働時間などの使用履歴を自動的に記憶するようにし、回路基盤の保守に効果的に利用できるようになっている。
【００４７】
尚、本実施形態では、図３で説明したように、既存の固有情報などを記憶する読み出し専用領域を有するＰＩ情報記憶部内にユーザーが独自の情報を自由に読み書き可能な領域を設けた例について説明するが、従来のＰＩ情報記憶部とは物理的に異なる別のメモリにユーザーが独自の情報を自由に読み書き可能な領域を設けても構わず、本実施形態と同様の効果が得られる。
【００４８】
［ＬＩＵ部２５１のＰＩ情報記憶部２５１ａの使用例］
次に、ＬＩＵ部２５１のＰＩ情報記憶部２５１ａの使用例について説明する。ここでは、伝送装置１０１のＬＩＵ部２５１（１）のＰＩ情報記憶部２５１ａ（１）に下位側回線の接続先情報をユーザー情報として書き込む。これにより、煩雑な接続先情報の管理を簡単且つ確実に行うことができる。
【００４９】
尚、各回路基盤のＰＩ情報記憶部にユーザー情報を書き込む操作は、クライアント側からの要求によって保守管理者側で遠隔監視制御端末１０８から書き込むか、または各伝送装置に保守用端末を接続して書き込む。或いは、ユーザー情報の種類によっては、各回路基盤内で所定の情報が書き込まれるようにしても構わない。
【００５０】
具体的には、例えば伝送装置１０１のＬＩＵ部２５１（１）のＰＩ情報記憶部２５１ａ（１）は、ＬＩＵ部２５１（１）に接続されているＥ局の識別子（ＩＤなど）を接続先情報として格納しておく。そして、伝送ネットワーク１０５の管理者は、監視用ネットワーク１０６に接続されている遠隔監視制御端末１０８から監視用サーバー１０７を経由して伝送装置１０１のＬＩＵ部２５１（１）のＰＩ情報記憶部２５１（１）ａに格納されているＰＩ情報を読み取り、伝送装置１０１のＬＩＵ部２５１（１）にＥ局が接続されていることを確認することができる。
【００５１】
特に、本実施形態に係る伝送装置１０１およびネットワーク管理システム１００並びに装置情報管理方法では、ＬＩＵ部２５１（１）に一体化されたＰＩ情報記憶部２５１（１）も一緒に伝送装置１０３に移設するので、監視用サーバー１０７は伝送装置１０３に移設したＬＩＵ部２５１（１）のＰＩ情報記憶部２５１（１）の接続先情報を読み取るだけで接続先がＥ局であることを確認することができる。
【００５２】
特に、同じＰＩ情報記憶部２５１に記憶されている固有情報（製造番号や版数）は唯一なので、接続先情報などのユーザー独自の情報が必然的に固有情報に関連付けられることになり、間違いを防止できる。ところが、従来のように監視用サーバー１０７で一元管理すると、固有情報とユーザー情報との対応を維持しなければならず、煩雑な管理が要求されるだけでなく、古い情報や誤った情報を参照してしまう恐れがある。
【００５３】
［ＰＩ情報の読み取り動作］
ここで、伝送装置１０１の各回路基盤のＰＩ情報記憶部から情報を読み取る際の動作について説明する。各伝送装置には個別にＩＤが割り振られているので、監視用サーバー１０７から伝送装置１０１のＩＤを指定することによって伝送装置１０１にＰＩ情報を読み出すコマンド（監視制御信号）を送ることができる。
【００５４】
例えば、遠隔監視制御端末１０８から監視用サーバー１０７および監視用ネットワーク１０６を介して管理対象となる伝送装置１０１の監視制御部２０１にＰＩ情報の読み出しコマンドを発行する。これを受けた伝送装置１０１の監視制御部２０１はＣＰＵ部２０２に読み出しコマンドを出力し、ＣＰＵ部２０２はコマンドに記載された所定アドレス、例えばＬＩＵ部２５１（１）の場合はＰＩ情報記憶部２５１（１）のメモリアドレスからＰＩ情報を読み出し、監視制御部２０１に返す。そして、読み出されたＰＩ情報は、監視制御部２０１から監視用ネットワーク１０６を介して監視用サーバー１０７に送信され、監視用サーバー１０７が受信したＰＩ情報は遠隔監視制御端末１０８のモニタに表示される。尚、上記の説明では、分かり易いように、ＰＩ情報の読み出しを指令するコマンドを発行するようにしたが、実際には例えばネットワーク管理システム１００で用いられる管理情報ベース（ＭＩＢ情報）を用いて、各ＰＩ情報記憶部を管理オブジェクトのオブジェクト識別子 （ＯＩＤ）に割り当てることにより各伝送装置の各回路基盤のＰＩ情報記憶部に記憶されているＰＩ情報を読み書きする。
【００５５】
尚、上記の説明では伝送装置のＬＩＵ部２５１のＰＩ情報を読み書きする場合について説明したが、ＦＡＮ部やＳＨＥＬＦ部或いはＣＰＵ部など他のブロックのユーザー領域のＰＩ情報を読み書きする場合についても同様に行うことができる。また、図１のＡ局の伝送装置１０１だけでなくＢ局の伝送装置１０２についても同様にユーザー領域のＰＩ情報を読み書きすることができる。さらに、監視用ネットワーク１０６に接続されていないＣ局の伝送装置１０３やＤ局の伝送装置１０４のＰＩ情報に関しても、監視用ネットワーク１０６に直接接続されているＡ局またはＢ局を経由してインバンドで同様にＰＩ情報を読み書きすることができる。例えば、Ａ局を経由してＣ局のＰＩ情報の読み書きをインバンドで行う場合は、遠隔監視制御端末１０８から監視用サーバー１０７および監視用ネットワーク１０６を介してＡ局の伝送装置１０１の監視制御部２０１にＣ局の伝送装置１０３のＰＩ情報の読み書きを行うコマンド送信する。これを受けたＡ局の伝送装置１０１の監視制御部２０１は、コマンドがＣ局宛であることを判別し、当該コマンドを高速部２０７を介してインバンドでＣ局の伝送装置１０３内の監視制御部に送信する。そして、これを受けたＣ局の伝送装置１０３の監視制御部は、当該装置のＣＰＵ部を介して例えばＬＩＵ（ｎ）のＰＩ情報記憶部のユーザー領域のＰＩ情報（接続先情報：Ｈ局）を読み出し、そのＰＩ情報（接続先情報：Ｈ局）をＣ局の伝送装置の監視制御部からインバンドでＡ局の伝送装置１０１の監視制御部２０１に送られる。そして、Ａ局の伝送装置１０１の監視制御部２０１は、監視用ネットワーク１０６を介して監視用サーバー１０７にＣ局のＰＩ情報を送信し、遠隔監視制御端末１０８のモニタにＣ局のＰＩ情報が表示される。つまり、Ａ局の伝送装置１０１はＣ局の伝送装置１０３の代理の監視用サーバーとして機能する。
【００５６】
このようにして、伝送ネットワーク内に接続されている全ての伝送装置からＰＩ情報を自由に読み書きすることができる。尚、監視用サーバー１０７が伝送装置１０１のＬＩＵ２５１のＰＩ情報記憶部２５１ａから接続先情報の読み出しまたは書き込みを行う際に、遠隔監視制御端末１０８から所定の認証コードを入力するようにしても構わない。これにより、意図的或いは誤って書き換えられることを防止できる。
【００５７】
ここで、監視用サーバー１０７は定期的（例えば１回／日など）に各伝送装置のＰＩ情報を読みにいくようにすれば、どこかの伝送装置のＬＩＵ基盤が移設されたことなどを適宜知ることができる。また、オペレータが任意に遠隔監視制御端末を操作して、特定の伝送装置の特定の基盤のＰＩ情報を読み書きすることもできる。或いは、例えば伝送装置１０１のＣＰＵ部２０２が自装置内の各基盤の装着状態を定期的（１分毎など）にポーリングし、新たに基盤が装着されたか否かを検出する機能を設けておくことにより、例えばＳＨＥＬＦ部２０４に新たな回路基盤が装着された時に、ＣＰＵ部２０２がモニタするＳＨＥＬＦ部２０４のバックワイヤードボード回路が導通状態になるような仕掛けを設けることで容易に実現できる。そして、ＣＰＵ部２０２が、新たな回路基盤の装着を検出した時に、当該回路基盤のＰＩ情報記憶部のＰＩ情報を読み出して監視用サーバー１０７に自動的に通知する機能を設けても構わない。
【００５８】
尚、監視用サーバー１０７は、各伝送装置のＰＩ情報を従来通り記憶するデーターベース１０７ａも有している。但し、本実施形態では、遠隔監視制御端末１０８が各伝送装置のＰＩ情報を確認する際には、監視制御サーバー１０７のデータベース１０７ａに記憶されているＰＩ情報を読むわけではなく、各伝送装置のＰＩ情報記憶部に実際に記憶されているＰＩ情報を読み出す。或いは必要に応じて新たなユーザー情報をＰＩ情報記憶部の読み書き可能領域に書き込む。このように本実施形態では、監視制御サーバー１０７のデータベース１０７ａに記憶されているＰＩ情報はバックアップ用途であり、例えば１回／日など定期的にバックアップを行っている。そして、装置故障などで各伝送装置のＰＩ情報記憶部のユーザー領域のＰＩ情報が失われた場合は、監視制御サーバーのデータベースからバックアップする。
【００５９】
尚、上記の説明では遠隔監視制御端末１０８から伝送装置１０１のＰＩ情報を読み書きする場合について説明したが、図１に示したように伝送装置１０１を設置している現場（装置架前）で保守端末１０９を伝送装置１０１に直接接続してＰＩ情報の読み書きを行えるようにしても構わない。この場合は、保守端末１０９を接続するためのインターフェースを提供するＩ／Ｆ盤を伝送装置１０１のＳＨＥＬＦ部２０４に搭載しておき、保守端末１０９をＩ／Ｆ盤に接続してＣＰＵ部２０２に直接コマンドを与えることで、伝送装置１０１内のＰＩ情報を読み書きすることができる。
【００６０】
この場合でも、保守用端末のコマンドを受け取るＣＰＵ部２０２はＰＩ情報が変更されたことを検出できるので、変更された基盤のＰＩ情報を監視用ネットワーク１０６を介して監視用サーバー１０７に適宜送信するようにしても構わない。
【００６１】
［伝送装置１０１のＣＰＵ部２０２の処理］  
次に、伝送装置１０１のＣＰＵ部２０２の処理について図４のフローチャートを用いて説明する。尚、図４のフローチャートは、ＣＰＵ部２０２の内部に格納されたプログラムに従って動作する。
【００６２】
（ステップＳ１０１）ＣＰＵ部２０２は、監視制御信号（コマンド）が監視制御部２０１で受信されたか否か判断する。監視制御信号が受信された場合はステップＳ１０２に進み、監視制御信号が受信されていない場合はステップＳ１０１に進む。
【００６３】
（ステップＳ１０２）ＣＰＵ部２０２は、監視制御信号の正常性をチェックする。正常性のチェックは、例えば宛先局が正しいか否か、或いは監視制御信号は正しいか否かなどを確認する処理である。
【００６４】
（ステップＳ１０３）ステップＳ１０２において、監視制御信号が正常の場合はステップＳ１０５に進み、異常の場合はステップＳ１０４に進む。
【００６５】
この処理は、通信時の文字化けに限らず、遠隔監視制御端末１０８にオペレータが誤操作した場合などを含めてチェックする処理で、実在しない局や実在しない監視制御信号などが送られていないかなどを確認する。
【００６６】
（ステップＳ１０４）ＣＰＵ部２０２は、監視制御信号が異常の場合は受信信号の異常警報を出力する。尚、異常警報はアラーム収集部２０５が装置内のアラームを集約して、ＣＰＵ部２０２および監視制御部２０１を経由して監視用ネットワーク１０６を介して監視用サーバー１０７に送信される。
【００６７】
（ステップＳ１０５）ＣＰＵ部２０２は、監視制御信号で指定された基盤のＰＩ情報記憶部のユーザー領域へのアクセスが可能であるか否か（ユーザー領域のＰＩ情報の読み書きが可能であるか否か）をチェックする。このチェックは、例えばチェック用の所定アドレスを予め決めておき、そのアドレスへ試験的に何らかのデータを読み書きしてアクセスの可否を確認する。或いは、チップイネーブル信号などハード的な制御信号で確認するようにしても構わない。チェック結果が正常の場合はステップＳ１０７に進み、異常の場合はステップＳ１０６に進む。
【００６８】
（ステップＳ１０６）ＣＰＵ部２０２は、ＰＩ情報記憶部のユーザー領域へのアクセスができない場合は異常警報を出力する。尚、異常警報はアラーム収集部２０５が装置内のアラームを集約して、ＣＰＵ部２０２および監視制御部２０１を経由して監視用ネットワーク１０６を介して監視用サーバー１０７に送信される。
【００６９】
（ステップＳ１０７）ＣＰＵ部２０２は、監視制御信号で指定された基盤のＰＩ情報記憶部のユーザー領域のＰＩ情報を読み書きする。ＰＩ情報を読み取った場合は、読み取ったＰＩ情報をＣＰＵ部２０２から監視制御部２０１および監視用ネットワーク１０６を介して監視用サーバー１０７に送信する。
【００７０】
尚、この時、指定された基盤のＰＩ情報を読み書きできない場合は、ＣＰＵ部２０２は、ＰＩ情報の読み書き不能の異常警報をアラーム収集部２０５に出力する。そして、アラーム収集部２０５は装置内のアラームを集約して、ＣＰＵ部２０２および監視制御部２０１を経由して監視用ネットワーク１０６を介して監視用サーバー１０７に送信する。
【００７１】
このように、本実施形態に係る伝送装置１０１およびネットワーク管理システム１００並びに装置情報管理方法は、例えば伝送装置１０１の下位側回線の接続先情報を伝送装置１０１の外部に保持するのではなく伝送装置１０１自体のＬＩＵ２５１のＰＩ情報記憶部２５１ａに固有情報と共に一括して保持されるので、ＬＩＵ２５１を移設した場合でも古い情報と間違えることなく常に最新の情報を管理することができる。
【００７２】
また、回路基盤の装着を検出することにより、回路基盤の移設や新設があったことを直ぐに監視装置側に知らせることができ、常に最新の情報に更新することができる。
【００７３】
さらに、監視装置が伝送装置のＰＩ情報記憶部から情報の読み出しまたは情報の書き込みを行う際に、所定の認証コードを入力してアクセスすることにより、意図的或いは誤って書き換えられることを防止できる。
【００７４】
［ＦＡＮ部２０３のＰＩ情報記憶部２０３ａの使用例］
先に説明したＬＩＵ部２５１の場合、ＰＩ情報記憶部２５１ａにユーザー情報を書き込む操作は、クライアント側からの要求によって保守管理者側で遠隔監視制御端末１０８から書き込むか、または各伝送装置に保守用端末を接続して書き込むようにしたが、ＦＡＮ部２０３のＰＩ情報記憶部２０３ａの場合は回路基盤内で自動的に所定の情報が書き込まれるようになっている。
【００７５】
例えば、ＦＡＮ部２０３がＳＨＥＬＦ部２０４に搭載された時に、ＦＡＮ部２０３の起動履歴（電源投入時の日時など）をＰＩ情報記憶部２０３ａの読み書き可能なユーザー領域に記憶するようにする。尚、ＦＡＮ部に情報を記憶するのはＣＰＵ部２０２が行う。この場合、ファンモーターの寿命をＦＡＮ部２０３のＰＩ情報記憶部２０３ａの読み出し専用の領域に固定情報として記憶しておけば、ユーザー領域の履歴情報と比較することにより、ＦＡＮ部２０３の稼働時間を監視用サーバー１０７および遠隔監視制御端末１０８で知ることができ、ファンモーターが故障する前に交換することができる。
【００７６】
このように、本発明に係る伝送装置１０１およびネットワーク管理システム１００並びに装置情報管理方法は、クライアント側の接続先情報を伝送装置の外部に保持するのではなく伝送装置１０１自体に装置の固有情報と共に一括して保持するので、古い情報と間違えることなく常に最新の情報を得ることができる。
【００７７】
特に、装置の固有情報とは別にＰＩ情報記憶部の読み書き可能領域に接続先情報などのユーザー情報を自由に書き込むことができるので、伝送装置１０１および装置内の回路基盤毎に適切な管理を行うことができる。
【００７８】
また、回路基盤の装着を検出することにより、回路基盤の移設や新設があったことを直ぐに監視用サーバー１０７側に知らせることができ、常に最新の情報に更新することができる。
【００７９】
さらに、監視用サーバー１０７が伝送装置１０１のＰＩ情報記憶部から情報の読み出しまたは情報の書き込みを行う際に、所定の認証コードを入力してアクセスすることにより、意図的或いは誤って書き換えられることを防止できる。
【００８０】
以上、本発明に係る伝送装置１０１およびネットワーク管理システム１００並びに装置情報管理方法について、実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００８１】
１００・・・ネットワーク管理システム
１０１・・・Ａ局の伝送装置
１０２・・・Ｂ局の伝送装置
１０３・・・Ｃ局の伝送装置
１０４・・・Ｄ局の伝送装置
１０５・・・伝送ネットワーク
１０６・・・監視用ネットワーク
１０７・・・監視用サーバー
１０８・・・遠隔監視制御端末
１０９・・・保守端末
１５１・・・下位側伝送装置
２００・・・主信号系ブロック
２０１・・・監視制御部
２０３・・・ＦＡＮ部
２０２・・・ＣＰＵ部
２０４・・・ＳＨＥＬＦ部
２０５・・・アラーム収集部
２０６・・・低速部
２０７・・・高速部
２５１・・・ＬＩＵ部
２０１ａ，２０２ａ，２０３ａ，２０４ａ，２０５ａ，２５１ａ，２０７ａ・・・ＰＩ情報記憶部
【図１】
2011114635.tif 000003
【図２】
2011114635.tif 000004
【図３】
2011114635.tif 000005
【図４】
2011114635.tif 000006